(57)【特許請求の範囲】
【請求項１】
映像信号が記録された記録媒体から映像信号を再生する再生手段と、
再生手段によって再生された映像信号に情報信号を重畳するオンスクリーンディスプレイ回路と、
オンスクリーンディスプレイ回路が映像信号に重畳する情報信号を、大人モードとなるときには漢字混じり文を主体とした情報信号とし、子供モードとなるときには平仮名文を主体とした情報信号とする制御手段とを備え、
再生手段に動作を指示するとき操作されるキースイッチの少なくとも一部は、キースイッチ本体またはキースイッチ本体の近傍位置に形成された機能マークによって互いが識別される映像信号再生装置において、
前記情報信号を、再生手段の動作に関連したキースイッチの操作方法を示す情報信号とし、
子供モードが低学年モードと高学年モードとの２つのモードに分けられ、
高学年モードとなるときの情報信号を、片仮名が混じる平仮名文を主体とした情報信号とし、低学年モードとなるときの情報信号を、機能マークが混じる平仮名文を主体とした情報信号としたことを特徴とする映像信号再生装置。
【請求項２】
映像信号が記録された記録媒体から映像信号を再生する再生手段と、
再生手段によって再生された映像信号に情報信号を重畳するオンスクリーンディスプレイ回路と、
オンスクリーンディスプレイ回路が映像信号に重畳する情報信号を、大人モードとなるときには漢字混じり文を主体とした情報信号とし、子供モードとなるときには平仮名文を主体とした情報信号とする制御手段とを備えた映像信号再生装置において、
前記情報信号を、再生手段の動作に関連したキースイッチの操作方法を示す情報信号としたことを特徴とする映像信号再生装置。
【請求項３】
再生手段の動作に関連したキースイッチの少なくとも一部は、キースイッチ本体またはキースイッチ本体の近傍位置に形成された機能マークによって互いが識別され、
平仮名文を主体とした情報信号においては、操作するキースイッチが機能マークによって示されていることを特徴とする請求項２記載の映像信号再生装置。
【発明の詳細な説明】
【０００１】
【発明の属する技術分野】
本発明は、画面に表示される情報を、大人モードとなるときには漢字混じり文を主体とし、子供モードとなるときには平仮名文を主体とする映像信号再生装置に係り、詳細には、前記情報を、再生に関したキースイッチの操作方法とした映像信号再生装置に関するものである。
【０００２】
【従来の技術】
子供が装置を操作するとき、その操作を容易にする従来技術の１つに、実開平２−１１００８９号として提案された「コンパクトディスクプレーヤーの絵表示選曲キー」がある。この技術においては、再生するトラックを選択するための選曲キーに刻印される表示を、数字表示ではなく、絵・色・文字など、幼児や子供になじめる表示とすることが示されている（第１の従来技術とする）。
【０００３】
また、記録媒体から再生された映像に文字情報を重畳する再生装置の１つに、特開平４−１３２８８号として提案されたカラオケ装置がある。この技術においては、記憶された曲のそれぞれに対して、漢字と平仮名とを用いたオリジナルの歌詞データ、平仮名のみを使用した歌詞データ、片仮名のみを使用した歌詞データ、あるいは、英語の歌詞データといった複数種の歌詞データを記憶させている。そして、カラオケ曲が再生されるときには、切換えスイッチの操作に従い、漢字と平仮名とを用いたオリジナルの歌詞、平仮名のみを使用した歌詞、片仮名のみを使用した歌詞、あるいは、英語の歌詞のうちの１つを、画面に表示させている（第２の従来技術とする）。
【０００４】
また、特開平９−１８０００８号として提案された従来技術である「定期券発行機」においては、旧定期券から読み取った情報、あるいは利用者が入力した情報に基づき、利用者が大人か子供かを判別している。そして、判別結果が大人であるときには、表示器の表示方法を漢字混じりのモードとし、判別結果が子供であるときには、表示方法を平仮名主体モードとしている（第３の従来技術とする）。
【０００５】
また、特開平１０−２０８４４６号として提案された従来技術である「多種言語記録媒体」においては、動画画面に表示される字幕を、複数の言語のうちの１つの言語でもって、複数のサイズのうちの１つのサイズによって表示できることが示されている。また、第９頁の段落［００８７］においては、言語として日本語を選択するときでも、標準日本語による字幕、あるいは、子供向けの字幕を選択できることが示されている。そして、子供向けの字幕としては、用語の解説が付いた字幕、あるいは、平易な用語に置き換えた字幕、または、ふりがな付きの字幕などとすることが提案されている（第４の従来技術とする）。
【０００６】
【発明が解決しようとする課題】
しかしながら第１の従来技術を用いた場合には、以下に示す問題を生じていた。すなわち、子供にもなじめる表示が刻印されているのは、再生するトラックを選択するための選曲キーとなっている。従って、例えば、再生の停止状態にあるコンパクトディスクプレーヤーを前にして、再生を再開させようとする場合、子供にとっては、どのキースイッチを操作すればよいのか分からないため、大人の手を借りて再生を再開させる必要がある。
【０００７】
また、第２〜第４の従来技術は、表示器に表示される文字表示を、子供に分かり易いものとするための技術となっているが、表示される内容は、第２の従来技術では歌詞であり、第４の従来技術では字幕となっている。すなわち、該当する装置が再生を行った状態にあるときの文字表示を、子供に分かり易いものとするための技術となっている。また、第３の従来技術は、装置に入力するときの内容を、子供にも分かり易くするための技術となっている。従って、これらの技術を用いるときにも、子供が、例えば、停止状態にあるＤＶＤ再生装置の再生動作を開始させようとするときには、その操作を助けることができない。
【０００８】
本発明は上記課題を解決するため創案されたものであって、その目的は、再生動作に関連したキースイッチの操作方法を、大人モードとなるときには漢字混じり文を主体とした情報、高学年モードとなるときには片仮名が混じる平仮名文を主体とした情報、低学年モードとなるときにはキースイッチを示す機能マークが混じる平仮名文を主体とした情報でもって示すことにより、２種の年齢層のそれぞれの子供にとって、再生動作に関連したキースイッチの操作を容易なものにするとともに、情報の表示方法を年齢層に相応しいものとすることのできる映像信号再生装置を提供することにある。
【０００９】
また本発明の目的は、再生動作に関連したキースイッチの操作方法を、大人モードとなるときには漢字混じり文を主体とした情報、子供モードとなるときには平仮名文を主体とした情報でもって示すことにより、子供が再生動作に関連したキースイッチの操作を行うとき、その操作を容易なものとすることのできる映像信号再生装置を提供することにある。
【００１０】
また、上記目的に加え、平仮名文を主体とした情報においては、操作するキースイッチを、キースイッチ本体などに形成された機能マークでもって示すことにより、子供にとってのキースイッチの操作を、より容易にすることのできる映像信号再生装置を提供することにある。
【００１１】
【課題を解決するための手段】
上記課題を解決するため本発明に係る映像信号再生装置は、映像信号が記録された記録媒体から映像信号を再生する再生手段と、再生手段により再生された映像信号に情報信号を重畳するオンスクリーンディスプレイ回路と、オンスクリーンディスプレイ回路が映像信号に重畳する情報信号を、大人モードとなるときには漢字混じり文を主体とした情報信号とし、子供モードとなるときには平仮名文を主体とした情報信号とする制御手段とを備え、再生手段に動作を指示するとき操作されるキースイッチの少なくとも一部は、キースイッチ本体またはキースイッチ本体の近傍位置に形成された機能マークによって互いが識別される映像信号再生装置において、前記情報信号を、再生手段の動作に関連したキースイッチの操作方法を示す情報信号とし、子供モードが低学年モードと高学年モードとの２つのモードに分けられ、高学年モードとなるときの情報信号を、片仮名が混じる平仮名文を主体とした情報信号とし、低学年モードとなるときの情報信号を、機能マークが混じる平仮名文を主体とした情報信号としている。
【００１２】
すなわち、低学年モードにおいては、キースイッチとの対応付けが極めて容易である機能マークが混じる平仮名文を主体とした情報によって、キースイッチの操作方法が示され、高学年モードにおいては、片仮名が混じる平仮名文を主体とした情報によって、キースイッチの操作方法が示される。
【００１３】
また本発明に係る映像信号再生装置は、映像信号が記録された記録媒体から映像信号を再生する再生手段と、再生手段により再生された映像信号に情報信号を重畳するオンスクリーンディスプレイ回路と、オンスクリーンディスプレイ回路が映像信号に重畳する情報信号を、大人モードとなるときには漢字混じり文を主体とした情報信号とし、子供モードとなるときには平仮名文を主体とした情報信号とする制御手段とを備えた映像信号再生装置において、前記情報信号を、再生手段の動作に関連したキースイッチの操作方法を示す情報信号としている。すなわち、子供モードにおいては、再生手段の動作に関連したキースイッチの操作方法が、平仮名文を主体とした情報によって示される。
【００１４】
また、上記構成に加え、再生手段の動作に関連したキースイッチの少なくとも一部は、キースイッチ本体またはキースイッチ本体の近傍位置に形成された機能マークによって互いが識別され、平仮名文を主体とした情報信号においては、操作するキースイッチが機能マークによって示されている。すなわち、機能マークによる表示は、平仮名による表示より分かりやすい。
【００１５】
【発明の実施の形態】
以下に本発明の実施例の形態を、図面を参照しつつ説明する。
図１は、本発明に係る映像信号再生装置の一実施形態を示すブロック線図であり、具体的には、ＤＶＤ再生装置を示している。
【００１６】
図において、再生手段１は、映像信号が記録された記録媒体から映像信号を再生するブロックとなっており、再生した映像信号をオンスクリーンディスプレイ回路（以下ではＯＳＤ回路と称する）４に出力する。このため、記録媒体であるＤＶＤ１５を回転させるディスクモータ１１、ＤＶＤ１５に記録された映像信号を読み取るピックアップ１２、ピックアップ１２によって読み取られた映像信号からデジタルデータを復調するとともに、復調したデジタルデータのエラー訂正などを行う信号処理回路１３、および、信号処理回路１３から出力される信号を、ＭＰＥＧ方式で伸張する動作などを行うデコード回路１４を備えている。
【００１７】
ＯＳＤ回路４は、デコード回路１４から出力される映像信号に、情報信号（後に詳述する）などを重畳するブロックとなっている（ＯＳＤ回路４とデコード回路１４とは、１つのＩＣの内部に集積化されている）。Ｄ／Ａ変換器５は、ＯＳＤ回路４から出力される映像信号をアナログの映像信号に変換し、出力端子６を介して、外部に設けられた表示装置７に送出するブロックとなっている。入力回路３は、装置本体の前面パネル（図示を省略）に設けられた複数のキースイッチや、リモートコントローラ８からの赤外線を受光する受光部などを備えたブロックとなっており、ユーザによる指示が入力される。そして、入力された指示を制御手段２に送出する。
【００１８】
リモートコントローラ８は、図２に示すように、数値を入力するための複数の数字キー２４を備えている。また、再生を開始させるための再生キー２１、再生を一時停止させるための一時停止キー２２、再生を停止させるための停止キー２３などを備えている。また、再生キー２１、一時停止キー２２、停止キー２３のそれぞれのキー本体２１６，２２６，２３６には、互いを識別するとともに割り付けられた機能を示すための機能マーク２１４，２２４，２３４が形成されている。また、キー本体２１６，２２６，２３６のそれぞれの近傍位置には、各キースイッチ２１〜２３の機能を示す漢字２１５，２２５，２３５が刻印されている（数字キー２４のキー本体には数字を示す刻印が形成されているが、図示は省略されている）。
【００１９】
制御手段２は、マイクロコンピュータを主要部として構成されたブロックとなっており、ＤＶＤ再生装置としての主要動作を制御する。すなわち、再生手段１の動作を制御する。また、ＯＳＤ回路４が映像信号に重畳する情報信号を制御する。
【００２０】
情報信号は、詳細には、例えば、再生手段１が一時停止状態にあるときに、停止位置からの続きを再生させようとする場合、あるいは、再生手段１が一時停止状態にあるときに、先頭位置から再生を開始させるとする場合、等におけるキースイッチの操作方法を、表示装置７に表示するための信号となっている。
【００２１】
より詳細には、大人モードとなるときに、ＯＳＤ回路４において生成される情報信号は、例えば、図３の７１によって示したように、漢字混じり文を主体とした文によって、キースイッチ２１〜２３の操作方法を示すようになっている。また、子供モードにおける低学年モードとなるときの情報信号は、図４の７４によって示したように、主体となる平仮名文に、機能マーク２１４ａ，２２４ａ，２３４ａを混ぜた文でもって、キースイッチ２１〜２３の操作方法を示すようになっている。また、子供モードにおける高学年モードとなるときの情報信号は、図５の７７によって示すように、主体となる平仮名文に片仮名が混じる文によって、キースイッチ２１〜２３の操作方法を示すようになっている。
【００２２】
以上のように構成された実施形態の動作を以下に説明する。
いま、リモートコントローラ８のキースイッチの所定操作によって大人モードに設定されているとする。また、再生手段１は再生動作を行っているとする。この状態において一時停止キー２２を操作すると、この操作は、入力回路３を介して制御手段２に与えられる。その結果、制御手段２は、再生手段１の再生動作を一時停止させる。また、ＯＳＤ回路４には、漢字混じり文を主体とした文によって、以後のキースイッチ２１〜２３の操作方法を示す情報信号を生成させる。このため、表示装置７には、図３の７１に示すように、漢字混じり文でもって、続き再生を行う場合と、先頭からの再生を行う場合とのキースイッチ２１〜２３の操作方法が表示される。
【００２３】
上記した情報が表示された状態において、再生キー２１を操作した場合、同図７２に示したように、画面の右上に『続き再生』を行う旨の情報が所定期間（例えば３秒）において表示されるとともに、続き再生された映像が画面に表示される。一方、７１に示す情報が表示された状態において、停止キー２３を操作すると、同図７３に示すように、画面の右上には、『続き再生しない』旨の情報が所定期間表示されるとともに、メニュー画面（図示を省略）が表示される。この状態において再生キー２１を操作すると、先頭位置からの再生が開始される。
【００２４】
以上で大人モードの場合の説明を終了し、次に、子供モードにおける低学年モードの場合について説明する。
【００２５】
いま、リモートコントローラ８のキースイッチの所定操作によって子供モードの低学年モードに設定されているとする。また、再生手段１は再生動作を行っているとする。この状態において一時停止キー２２を操作すると、制御手段２は、再生手段１の再生動作を一時停止させる。また、ＯＳＤ回路４には、主体となる平仮名文に機能マーク２１４，２２４，２３４が混じる文でもって、キースイッチ２１〜２３の操作方法を示す情報信号を生成させる。このため、表示装置７には、図４の７４に示すように、平仮名文に機能マーク２１４ａ，２２４ａ，２３４ａを混ぜた文でもって、続き再生を行う場合と、先頭からの再生を行う場合とのキースイッチ２１〜２３の操作方法が表示される。
【００２６】
上記した情報が表示された状態において、再生キー２１を操作した場合、同図７５に示したように、画面の右上に『つづきさいせい』を行う旨の情報が所定期間（例えば３秒）において表示されるとともに、続き再生された映像が画面に表示される。一方、７４に示す情報が表示された状態において、停止キー２３を操作すると、同図７６に示すように、画面の右上には、『つづきさいせいしない』旨の情報が所定期間表示されるとともに、メニュー画面（図示を省略）が表示される。この状態において再生キー２１を操作すると、先頭位置からの再生が開始される。
【００２７】
以上で子供モードにおける低学年モードの場合の説明を終了し、次に、子供モードにおける高学年モードの場合について説明する。
【００２８】
いま、リモートコントローラ８のキースイッチの所定操作によって子供モードの高学年モードに設定されているとする。また、再生手段１は再生動作を行っているとする。この状態において一時停止キー２２を操作すると、制御手段２は、再生手段１の再生動作を一時停止させる。また、ＯＳＤ回路４には、主体となる平仮名文に片仮名が混じる文でもって、キースイッチ２１〜２３の操作方法を示す情報信号を生成させる。このため、表示装置７には、図５の７７に示すように、主体とする平仮名に片仮名が混じる文でもって、続き再生を行う場合と、先頭からの再生を行う場合とのキースイッチ２１〜２３の操作方法が表示される。なお、７７に示す情報は、大人モードにおける情報（７１参照）の漢字を平仮名に変えた表示となっている。
【００２９】
上記した情報が表示された状態において、再生キー２１を操作した場合、同図７８に示したように、画面の右上に『つづきさいせい』を行う旨の情報が所定期間（例えば３秒）において表示されるとともに、続き再生された映像が画面に表示される。一方、７７に示す情報が表示された状態において、停止キー２３を操作すると、同図７９に示すように、画面の右上には、『つづきさいせいしない』旨の情報が所定期間表示されるとともに、メニュー画面（図示を省略）が表示される。この状態において再生キー２１を操作すると、先頭位置からの再生が開始される。
【００３０】
なお、図５の７７に示した高学年モードにおける表示では、操作するキースイッチ２１〜２３は平仮名で示されている。一方、リモートコントローラ８においては、キースイッチ２１〜２３は、機能マーク２１４，２２４，２３４によって識別されるとともに、漢字２１５，２２５，２３５によって識別されるようになっている。従って、平仮名を用いてキースイッチ２１〜２３を示す場合では、キースイッチを示す平仮名と、リモートコントローラ８におけるキースイッチ２１〜２３との直接の対応関係がない。このため、図６に示したように、情報８０を表示するとき、キースイッチ２１〜２３のそれぞれの機能を平仮名８２で示したリモートコントローラの画像８１を表示し、対応関係を分かり易いものとすることができる。
【００３１】
また、低学年モードにおけるキースイッチの操作方法の表示においても、図７に示すように、操作方法を示す情報８５とともに、キースイッチ２１〜２３のそれぞれを示す機能マーク２１４ｂ，２２４ｂ，２３４ｂのあるリモートコントローラの画像８６を表示することもできる。
【００３２】
なお、本発明は上記実施形態に限定されず、表示される情報については、一時停止の状態にある場合のキースイッチ２１〜２３の操作方法とした場合について説明したが、その他の任意の場合において、再生手段１に望む動作を行わせるときのキースイッチの操作方法を、各モードに応じた文を主体とした情報でもって表示する構成とすることができる。
【００３３】
【発明の効果】
以上説明したように、本発明によれば、大人モードとなるときには漢字混じり文を主体とした情報、子供モードとなるときには平仮名文を主体とした情報を表示させる制御手段を備え、再生手段に動作を指示するとき操作されるキースイッチの少なくとも一部は、キースイッチ本体またはキースイッチ本体の近傍位置に形成された機能マークによって互いが識別される映像信号再生装置において、前記情報を、再生手段の動作に関連したキースイッチの操作方法を示す情報とし、子供モードが低学年モードと高学年モードとの２つのモードに分けられ、高学年モードとなるときの情報を、片仮名が混じる平仮名文を主体とした情報とし、低学年モードとなるときの情報を、機能マークが混じる平仮名文を主体とした情報としている。従って、低学年モードにおいては、キースイッチとの対応付けが極めて容易である機能マークが混じる平仮名文を主体とした情報によって、キースイッチの操作方法が示され、高学年モードにおいては、片仮名が混じる平仮名文を主体とした情報によって、キースイッチの操作方法が示されるので、２種の年齢層のそれぞれの子供にとって、再生動作に関連したキースイッチの操作を容易なものとすることができ、且つ、情報の表示方法を年齢層に相応しいものとすることができる。
【００３４】
また、本発明によれば、大人モードとなるときには漢字混じり文を主体とした情報とし、子供モードとなるときには平仮名文を主体とした情報とする制御手段を備えた映像信号再生装置において、前記情報を、再生手段の動作に関連したキースイッチの操作方法を示す情報としている。従って、子供モードにおいては、再生手段の動作に関連したキースイッチの操作方法が、平仮名文を主体とした情報によって示されるので、子供が再生動作に関連したキースイッチの操作を行うとき、その操作を容易なものとすることができる。
【００３５】
また、さらに、前記キースイッチの少なくとも一部は、キースイッチ本体またはキースイッチ本体の近傍位置に形成された機能マークによって互いが識別され、平仮名文を主体とした情報信号においては、操作するキースイッチが機能マークによって示されている。すなわち、機能マークによる表示は、平仮名による表示より分かりやすいので、子供にとってのキースイッチ操作を、より容易なものとすることができる。
【図面の簡単な説明】
【図１】本発明に係る映像信号再生装置の一実施形態を示すブロック線図である。
【図２】リモートコントローラの操作面の詳細を示す説明図である。
【図３】大人モードにおける情報を示す説明図である。
【図４】低学年モードにおける情報を示す説明図である。
【図５】高学年モードにおける情報を示す説明図である。
【図６】高学年モードにおいて、リモートコントローラのキースイッチを併せて表示したときの画面を示す説明図である。
【図７】低学年モードにおいて、リモートコントローラのキースイッチを併せて表示したときの画面を示す説明図である。
【符号の説明】
１  再生手段
２  制御手段
４  オンスクリーンディスプレイ回路
８  リモートコントローラ
１５  ＤＶＤ（記録媒体）
２１〜２３  再生手段に関連したキースイッチ
２１４，２２４，２３４  機能マーク
２１６，２２６，２３６  キースイッチ本体
【図１】
0003596612.tif 000002
【図２】
0003596612.tif 000003
【図３】
0003596612.tif 000004
【図４】
0003596612.tif 000005
【図５】
0003596612.tif 000006
【図６】
0003596612.tif 000007
【図７】
0003596612.tif 000008